(57)【要約】      （修正有）【課題】ステージ設置用フレーム連結構造物を提供する。【解決手段】ステージ設置用フレーム連結構造物は、第１及び第２連結ブラケット１００，２００を備え、第１及び第２連結ブラケットはそれぞれ矩形状のフレーム構造を有して互いに垂直に配設され、それぞれには互いに垂直な方向に配設された第１及び第２フレームのそれぞれが固定され、第１及び第２連結ブラケットのそれぞれは、ボルト３００の頭部３１０が嵌合されるように形成された少なくとも一つの頭嵌合部２１０及び頭嵌合部３１０の内側にボルト３００のねじ部が螺合されるように形成された少なくとも一つの螺合部１２０を備え、頭嵌合部２１０及び螺合部１２０は、第１連結ブラケット１００の頭嵌合部１１０に係合されたボルトが第２連結ブラケット２００の螺合部２２０に係合されるように形成される。【選択図】図４
2014237998.tif 000002
【特許請求の範囲】
【請求項１】
それぞれ矩形状のフレーム構造を有して互いに垂直に配設され、それぞれに互いに垂直な方向に配設された第１及び第２フレームのそれぞれが固定される第１及び第２連結ブラケットを備え、
前記第１及び第２連結ブラケットのそれぞれは、
ボルトの頭部が嵌合されるように形成された少なくとも一つの頭嵌合部と、
前記頭嵌合部の内側に前記ボルトのねじ部が係合されるように形成された少なくとも一つの螺合部と、
を備え、
前記頭嵌合部及び前記螺合部は、前記第１連結ブラケットの頭嵌合部に係合されたボルトが前記第２連結ブラケットの螺合部に係合されるように形成されたことを特徴とするフレーム連結構造物。
【請求項２】
前記第１及び第２連結ブラケットのそれぞれは、その周縁から前記螺合部までの垂直直線距離よりも厚く形成されたことを特徴とする請求項１に記載のフレーム連結構造物。
【請求項３】
前記第１及び第２連結ブラケットのそれぞれは、その角部に前記第１及び第２フレームのそれぞれが締め付けられるフレーム締付部を備え、
前記頭嵌合部及び前記螺合部は、前記第１及び第２連結ブラケットのそれぞれの辺に一対又は多数対が前記辺の中心を基準に対称となるように形成されたことを特徴とする請求項１に記載のフレーム連結構造物。
【請求項４】
前記フレーム締付部は、
前記第１又は第２フレームが嵌入する嵌入部と、
前記嵌入部に嵌入した第１又は第２フレームを第２ボルトが締め付けられた固定板を用いて押し付けながら固定する固定部と、
を備えることを特徴とする請求項３に記載のフレーム連結構造物。
【請求項５】
前記螺合部に係合されたボルトは、ナットにより固定されることを特徴とする請求項１に記載のフレーム連結構造物。
【発明の詳細な説明】
【技術分野】
【０００１】
本発明は、ステージ設置用フレーム連結構造物に係り、さらに詳しくは、舞台などのステージに照明及び広告板などの付帯設備を設けるために前記ステージに設けられるフレームを連結する連結構造物に関する。
【背景技術】
【０００２】
一般に、公演場や展示場など各種の行事や公演が催される場所では、行事や公演の効果を高めるために舞台であるステージの上部にフレーム構造物を設けてこの構造物に照明及び広告板などの付帯設備を設置している。
【０００３】
ここで、前記フレーム構造物は、４つ又は３つのフレームを向かい合わせて配設した後、前記フレーム同士を前記フレームよりも相対的に短いサブフレームを用いて連結した単位構造物を用いてユーザにより様々な形で設置される。具体的に、ユーザは、多数の単位構造物を互いに異なる方向に向かって交差されるように連結して非常に様々な形のフレーム構造物を設置することができる。
【０００４】
しかしながら、前記単位構造物を互いに交差されるように連結するに際して、前記単位構造物は、組立て強度を十分に維持するために互いに交差連結された状態で溶接されて保管されるため、これらを保管場所から設置しようとするステージに運ぶときにその体積によって非常に運び難いという問題点を抱えている。
【発明の概要】
【発明が解決しようとする課題】
【０００５】
本発明の目的は、互いに離れている第１及び第２フレームのそれぞれを互いに異なる方向に向かって交差されるようにステージにおいて連結することのできるフレーム連結構造物を提供することである。
【課題を解決するための手段】
【０００６】
上述した本発明の目的を達成するために、本発明の一特徴によるステージ設置用フレーム連結構造物は、第１及び第２連結ブラケットを備える。
【０００７】
前記第１及び第２連結ブラケットは、それぞれ矩形状のフレーム構造を有して互いに垂直に配設され、それぞれには互いに垂直な方向に配設された第１及び第２フレームのそれぞれが固定される。また、前記第１及び第２連結ブラケットのそれぞれは、ボルトの頭部が嵌合されるように形成された少なくとも一つの頭嵌合部及び前記頭嵌合部の内側に前記ボルトのねじ部が係合されるように形成された少なくとも一つの螺合部を備える。これにより、前記頭嵌合部及び前記螺合部は、前記第１連結ブラケットの頭嵌合部に係合されたボルトが前記第２連結ブラケットの螺合部に係合されるように形成される。
【０００８】
本発明の一実施形態による前記第１及び第２連結ブラケットのそれぞれは、その周縁から前記螺合部までの垂直直線距離よりも厚く形成されてもよい。
【０００９】
本発明の一実施形態による前記第１及び第２連結ブラケットのそれぞれは、その角部に前記第１及び第２フレームのそれぞれが締め付けられるフレーム締付部を備えていてもよい。この場合、前記頭嵌合部及び前記螺合部は、前記第１及び第２連結ブラケットのそれぞれの辺に一対又は多数対が前記辺の中心を基準に対称となるように形成されてもよい。
【００１０】
本発明の一実施形態による前記フレーム締付部は、前記第１又は第２フレームが嵌入する嵌入部及び前記嵌入部に嵌入した第１又は第２フレームを第２ボルトが締め付けられた固定板を用いて押し付けながら固定する固定部を備えていてもよい。
【００１１】
本発明の一実施形態による前記螺合部に係合されたボルトは、ナットにより固定されてもよい。
【発明の効果】
【００１２】
このようなステージ設置用フレーム連結構造物によれば、互いに垂直な方向に交差配設された第１及び第２フレームをボルトにより互いに係合される第１及び第２連結ブラケットを介して互いに交差連結することにより、前記第１及び第２フレームを運ぼうとするときには互いに離れている状態で運ぶことができる。これにより、前記第１及び第２フレームを運ぶときに体積を低減することができるので、これを運ぶのに必要な車両を小型化させることができるだけではなく、これにかかるコストも節減することができる。
【図面の簡単な説明】
【００１３】
【図１】本発明の一実施形態によるステージに設けられたフレーム連結構造物を概略的に示す図である。
【図２】図１に示す第１及び第２フレームがフレーム連結構造物の第１及び第２連結ブラケットにより互いに交差連結される個所を具体的に示す図である。
【図３】図２に示す第１連結ブラケットを具体的に示す斜視図である。
【図４】図２に示す第１及び第２連結ブラケットが互いに係合される構造を具体的に示す斜視図である。
【図５】図２に示す第１又は第２連結ブラケットに第１又は第２フレームが締め付けられる構造を示す図である。
【図６】図５におけるＡ部の拡大図である。
【発明を実施するための形態】
【００１４】
以下、添付図面に基づき、本発明の実施形態によるステージ設置用フレーム連結構造物について詳細に説明する。本発明は様々な変更を加えることができ、種々の形態を有することができるが、特定の実施形態を図面に例示し且つ本文に詳細に説明する。しかしながら、これは本発明を特定の開示形態に限定するためのものではなく、本発明の思想及び技術範囲に含まれるあらゆる変更、均等物若しくは代替物を含むものと理解さるべきである。各図面について説明するに当たって、同じ構成要素には同じ参照符号を附した。図中、構造物の寸法は、本発明の明確性を図るために実際よりも拡大して示す。
【００１５】
第１、第２などの用語は、様々な構成要素を説明するのに使用可能であるが、前記構成要素は前記用語により限定されるものではない。前記用語はある構成要素を他の構成要素から区別する目的でしか用いられない。例えば、本発明の権利範囲を逸脱しない範囲内で第１構成要素は第２構成要素と命名されてもよく、同様に、第２構成要素も第１構成要素と命名されてもよい。
【００１６】
本出願で用いられた用語は単に特定の実施形態を説明するためのものであり、本発明を限定するものではない。単数の表現は、文脈上明確に異なる意味を有さない限り、複数の表現を含む。本出願において、「含む」又は「有する」などの用語は、明細書上に記載されている特徴、数字、段階、動作、構成要素、部分品又はこれらを組み合わせたものが存在することを指定するためのものであり、１又はそれ以上の他の特徴や数字、段階、動作、構成要素、部分品又はこれらを組み合わせたものの存在又は付加可能性を予め排除しないものと理解さるべきである。
【００１７】
一方、別途に断りのない限り、技術的若しくは科学的な用語をはじめとしてここで用いられる全ての用語は、本発明が属する技術分野において通常の知識を有する者により一般的に理解されるものと同じ意味を有している。一般的に用いられる、辞書に定義されている用語は、関連技術の文脈上有する意味と一致する意味を有するものと解釈さるべきであり、本出願において、明確に定義しない限り、理想的又は過度に形式的な意味と解釈されない。
【００１８】
図１は、本発明の一実施形態によるステージに設けられたフレーム連結構造物を概略的に示す図であり、図２は、図１に示す第１及び第２フレームがフレーム連結構造物の第１及び第２連結ブラケットにより互いに交差連結される個所を具体的に示す図である。
【００１９】
図１及び図２を参照すると、本発明の一実施形態によるステージ設置用フレーム連結構造物１０００は、公演場や展示場など各種の行事を催すために設けられた舞台などのステージ１０の上部に設けられる多数の第１及び第２フレーム２０、３０を互いに連結する。このとき、前記ステージ１０は、公演や各種の行事を観覧客が観覧し易くするために、図１に示すように、脚を用いて所定の高さに設けられてもよい。
【００２０】
また、前記ステージ１０に設けられた第１及び第２フレーム２０、３０には、公演や各種の行事が夜間にも催されるように照明が設けられてもよく、これらの情報を知らせるための広告板などの付帯設備が設けられてもよい。このために、前記第１及び第２フレーム２０、３０のうちのいずれか一方である第１フレーム２０は、前記ステージ１０の両脇に柱構造に設けられてもよく、他方の第２フレーム３０は柱構造の上部に天井構造に設けられても良い。ここで、前記第１及び第２フレーム２０、３０は長尺なバー状を呈し、これらの構造的な剛性が支持されるように、それぞれの間には、ブリッジの役割を果たす第１及び第２サブフレーム５０、６０のそれぞれが介装されてもよい。
【００２１】
このような前記柱構造の第１フレーム２０と前記天井構造の第２フレーム３０において、前記フレーム連結構造物１０００は、前記第１及び第２フレーム２０、３０の間においてこれらを互いに垂直に交差された状態で連結する役割を果たす。このために、前記フレーム連結構造物１０００は、互いに同じ構造を有し、且つ、それぞれに前記第１及び第２フレーム２０、３０のそれぞれが締め付けられる第１及び第２連結ブラケット１００、２００を備える。これにより、前記第１及び第２連結ブラケット１００、２００は、前記第１及び第２フレーム２０、３０が垂直に交差される構造に応じて互いに垂直に配設される。
【００２２】
以下、前記互いに垂直に配設された第１及び第２連結ブラケット１００、２００が互いに係合される構造について、図３及び図４をさらに参照してより詳細に説明する。
【００２３】
図３は、図２に示す第１連結ブラケットを具体的に示す斜視図であり、図４は、図２に示す第１及び第２連結ブラケットが互いに係合される構造を具体的に示す斜視図である。
【００２４】
図３及び図４をさらに参照すると、前記第１連結ブラケット１００と、これと同じ構造を有する第２連結ブラケット２００は、矩形状のフレーム構造を有する。
【００２５】
前記第１及び第２連結ブラケット１００、２００のそれぞれは、ボルト３００の頭部３１０が嵌合されるように形成された第１及び第２頭嵌合部１１０、２１０と、前記ボルト３００のねじ部３２０が係合されるように形成された第１及び第２螺合部１２０、２２０と、を備える。
【００２６】
前記第１頭嵌合部１１０は、前記第１連結ブラケット１００の辺に形成される。前記第１頭嵌合部１１０は、前記ボルト３００が前記第１連結ブラケット１００の平面に沿って外郭方向に長く配設された状態でその頭部３１０が前記第１連結ブラケット１００の平面と垂直な方向から嵌合されるように形成される。ここで、前記第１頭嵌合部１１０は、前記頭部３１０が嵌合されるときに前記ねじ部３２０が前記外郭方向に露出されるように切り欠かれた露出溝１１２を有する。このとき、前記露出溝１１２は、前記第１頭嵌合部１１０にその頭部３１０が嵌合されたボルト３００が前記外郭方向に引き抜かれないように、前記頭部３１０が嵌入する部分の幅よりは狭く、且つ、前記ねじ部３２０の直径よりは大きいか又はそれに等しく形成される。
【００２７】
また、前記第２頭嵌合部２１０は、前記第１連結ブラケット１００の辺に形成され、その構造が前記第１頭嵌合部１１０と実質的に同様であるため、これについての詳細な説明は省略する。
【００２８】
前記第１螺合部１２０は、前記第１頭嵌合部１１０の直ぐ内側で前記第１頭嵌合部１１０と略一体形の構造を有するように形成される。前記第１螺合部１２０は、前記第１連結ブラケット１００の平面と垂直方向に長く配設された前記ボルト３００のねじ部３２０が嵌合されるように形成される。これにより、前記第１螺合部１２０は、前記ねじ部３２０の直径よりも所定分大きいか又はそれに等しい直径を有し、且つ、前記垂直方向に長い略円筒構造を有していてもよい。このとき、前記第１螺合部１２０は、前記第１連結ブラケット１００を押出工程により簡単に製造できるように中央部がその長手方向に沿って長く切り欠かれた切欠溝１２２を有していてもよい。
【００２９】
さらに、前記第２螺合部２２０は、前記第２頭嵌合部２１０の直ぐ内側で前記第２頭嵌合部２１０と略一体形の構造を有するように形成され、その構造が前記第１螺合部１２０と実質的に同様であるため、これについての詳細な説明は省略する。
【００３０】
上記の説明により、前記第１頭嵌合部１１０及び前記第１螺合部１２０を有する第１連結ブラケット１００と、前記第２頭嵌合部２１０及び前記第２螺合部２２０を有する第２連結ブラケット２００を互いに垂直に配設した状態で、前記ボルト３００を前記第２頭嵌合部２１０に嵌合した後、そのねじ部３２０を前記第１螺合部１２０に嵌合することにより、前記第１及び第２連結ブラケット１００、２００を互いに垂直に係合することができる。このとき、前記第１螺合部１２０に係合されたボルト３００は、その頭部３１０と反対側でナット４００を強固に締め付けることができる。なお、前記ナット４００で前記ボルト３００を締め付けるとき、前記ボルト３００が空転しないように前記ボルト３００の頭部３１０は角張った形で前記第２頭嵌合部２１０に嵌合することが好ましい。
【００３１】
一方、前記ボルト３００により互いに係合された第１及び第２連結ブラケット１００、２００において、前記第１連結ブラケット１００の周縁面が前記第２連結ブラケット２００の厚さ方向による外部面と同じ面上においてきれいに係合されるように、前記第２連結ブラケット２００の厚さｔは前記第１連結ブラケット１００の周縁から前記第１螺合部１２０までの垂直直線距離ｄよりも厚く形成されることが好ましい。
【００３２】
この実施形態においては、説明の便宜上、前記第２連結ブラケット２００の第２頭嵌合部２１０と前記第１連結ブラケット１００の第１螺合部１２０が前記ボルト３００を介して互いに係合されると説明したが、これとは逆に、前記第１及び第２連結ブラケット１００、２００が互いに同じ構造を有するため、前記第１連結ブラケット１００の第１頭嵌合部１１０と前記第２連結ブラケット２００の第２螺合部２２０が前記ボルト３００を介して互いに係合されてもよい。
【００３３】
このとき、前記第１及び第２連結ブラケット１００、２００の全ての係合構造に所定の規則を持たせるために、前記第１頭嵌合部１１０及び前記第１螺合部１２０と前記第２頭嵌合部２１０及び前記第２螺合部２２０は、それぞれ前記第１及び第２連結ブラケット１００、２００のそれぞれの辺に一対又は多数対が前記辺の中心を基準に対称となるように形成されてもよい。例えば、前記第１及び第２連結ブラケット１００、２００のそれぞれに、前記第１頭嵌合部１１０及び前記第１螺合部１２０と前記第２頭嵌合部２１０及び前記第２螺合部２２０のそれぞれ二対が各辺の中心を基準に対称状に形成されてもよい。
【００３４】
以下、前記第１及び第２連結ブラケット１００、２００のそれぞれに第１及び第２フレーム２０、３０のそれぞれが締め付けられる構造について、図５及び図６をさらに参照して詳細に説明する。
【００３５】
図５は、図２に示す第１又は第２連結ブラケットに第１又は第２フレームが締め付けられる構造を示す図であり、図６は、図５におけるＡ部の拡大図である。
【００３６】
この実施形態においては、前記第１及び第２連結ブラケットのそれぞれに前記第１及び第２フレームのそれぞれが締め付けられる構造が実質的に同様であるため、「第１及び第２連結ブラケット」を「連結ブラケット」とし、「第１及び第２フレーム」を「フレーム」として説明を行うが、このとき、前記「連結ブラケット」及び前記「フレーム」のそれぞれの参照番号も前記「第１連結ブラケット」及び前記「第１フレーム」の参照番号と同じものを用いる。
【００３７】
図５及び図６をさらに参照すると、前記連結ブラケット１００は、４つの角部に前記フレーム２０が締め付けられるフレーム締付部１３０を備える。前記フレーム締付部１３０は、前記フレーム２０が嵌入する嵌入部１４０及び前記嵌入部１４０に嵌入したフレーム２０を固定する固定部１５０を備える。
【００３８】
前記固定部１５０は、前記嵌入部１４０に嵌入したフレーム２０の内側で前記フレーム２０に向かって押し付ける固定板１５２を介して前記フレーム２０を押し付ける。このとき、前記固定部１５０は、前記固定板１５２に前記フレーム２０を押し付ける押付力を与えるために、前記固定板１５２には第２ボルト１５４が締め付けられても良い。逆に、前記フレーム２０は、前記固定板１５２の押付力を十分に伝達されながら前記第２ボルト１５４が嵌入する空間を提供するために、前記固定板１５２と当接する個所が断面「Ｖ」字状又は「Ｕ」字状に凹んだ構造を有していてもよい。
【００３９】
また、前記固定部１５０は、前記フレーム２０を固定するために前記第２ボルト１５４を締め付ける間に前記固定板１５２が前記フレーム２０から離脱しないように前記固定板１５２の内側でこれをガイドするガイド部１５６をさらに備えていてもよい。これとは異なり、前記固定部１５０は、前記フレーム２０に長手方向に沿って所定の間隔を隔てて孔（図示せず）を形成した後、前記孔に弾性により嵌着する構造を有していてもよく、前記フレーム２０を鉤状に固定する構造を有していてもよい。
【００４０】
上記の実施形態による説明でのように、互いに垂直な方向に交差配設された第１及び第２フレーム２０、３０を前記ボルト３００により互いに係合される第１及び第２連結ブラケット１００、２００を用いて互いに交差連結することにより、前記第１及び第２フレーム２０、３０を運ぼうとするときには互いに離れている状態で運ぶことができる。これにより、前記第１及び第２フレーム２０、３０を運ぶときに体積を低減することができるので、これを運ぶのに必要な車両を小型化させることができるだけではなく、これにかかるコストも節減することができる。
【００４１】
以上述べたように、本発明の好適な実施形態を挙げて本発明を詳細に説明したが、当該技術分野における熟練された当業者又は当該技術分野において通常の知識を有する者であれば、特許請求の範囲に記載されている本発明の思想及び技術領域から逸脱しない範囲内において本発明を様々に修正及び変更することができるということが理解できる筈である。
【符号の説明】
【００４２】
１０：ステージ
２０：第１フレーム
３０：第２フレーム
４０：脚
５０：第１サブフレーム
６０：第２サブフレーム
１００：第１連結ブラケット
１１０：第１頭嵌合部
１２０：第２螺合部
１３０：フレーム係合部
１４０：嵌入部
１５０：固定部
１５２：固定板
１５４：第２ボルト
２００：第２連結ブラケット
２１０：第２頭嵌合部
２２０：第２螺合部
３００：ボルト
３１０：頭部
３２０：ねじ部
４００：ナット
１０００：フレーム連結構造物
【図１】
2014237998.tif 000003
【図２】
2014237998.tif 000004
【図３】
2014237998.tif 000005
【図４】
2014237998.tif 000006
【図５】
2014237998.tif 000007
【図６】
2014237998.tif 000008